(57)【要約】【課題】太陽エネルギーや商用電源を用いて蓄電池を充電するものであって、蓄電池の残容量が過剰に少なくなることを極力防止しつつ、商用電源による電力が必要以上に消費されることを極力回避することが可能となる照明装置を提供する。【解決手段】太陽エネルギーに基づいて電力を取得し出力する、第１電力出力部と、商用電源に基づいて電力を取得し出力する、第２電力出力部と、供給される電力によって照明を行う照明部と、充放電を行う蓄電池と、該蓄電池の残容量を検出する残容量検出部と、を備え、第１および第２電力出力部が出力する電力を用いて、蓄電池を充電させる充電処理と、蓄電池が放電する電力を照明部に供給し、照明を行わせる放電処理と、を実行する照明装置であって、充電処理において、第２電力出力部が出力する電力の大きさは、前記残容量の検出結果に応じて、調整される照明装置とする。【選択図】図５
2009124843.tif 000002
【特許請求の範囲】
【請求項１】
太陽エネルギーに基づいて電力を取得し出力する、第１電力出力部と、
商用電源に基づいて電力を取得し出力する、第２電力出力部と、
供給される電力によって照明を行う照明部と、
充放電を行う蓄電池と、
該蓄電池の残容量を検出する残容量検出部と、を備え、
前記第１および第２電力出力部が出力する電力を用いて、前記蓄電池を充電させる充電処理と、
前記蓄電池が放電する電力を前記照明部に供給し、前記照明を行わせる放電処理と、
を実行する照明装置であって、
前記充電処理において前記第２電力出力部が出力する電力の大きさは、
前記残容量の検出結果に応じて、調整されることを特徴とする照明装置。
【請求項２】
前記充電処理と放電処理は、交互に繰り返されるものである一方、
各放電処理では、
前記蓄電池が所定の容量（「放電容量」とする）を放電し、
前記充電処理において前記第２電力出力部が出力する電力の大きさは、
前記残容量が所定の下限量と前記放電容量との合計以下であるか否かに応じて、調整されることを特徴とする請求項１に記載の照明装置。
【請求項３】
前記放電処理では、
前記第２電力出力部が出力する電力も、前記照明部に供給されることを特徴とする請求項２に記載の照明装置。
【請求項４】
前記充電処理において前記第２電力出力部が出力する電力の大きさは、
前記第１電力出力部が出力する電力の大きさに応じて、調整されることを特徴とする請求項１から請求項３の何れかに記載の照明装置。
【請求項５】
太陽エネルギーに基づいて電力を取得し出力する、第１電力出力部と、
商用電源に基づいて電力を取得し出力する、第２電力出力部と、
供給される電力によって照明を行う照明部と、
充放電を行う蓄電池と、
該蓄電池の残容量を検出する残容量検出部と、を備え、
前記第１および第２電力出力部が出力する電力を用いて、前記蓄電池を充電させる充電処理と、
前記蓄電池が放電する電力を前記照明部に供給し、前記照明を行わせる放電処理と、
を実行する照明装置であって、
前記充電処理において前記第２電力出力部が出力する電力の大きさは、
前記第１電力出力部が出力する電力の大きさに応じて、調整されることを特徴とする照明装置。
【請求項６】
請求項１から請求項５の何れかに記載の照明装置であって、
前記照明を実現する発光素子として、ＬＥＤが採用されていることを特徴とするＬＥＤ照明装置。
【請求項７】
太陽エネルギーに基づいて電力を取得し出力する、第１電力出力部と、
商用電源に基づいて電力を取得し出力する、第２電力出力部と、
充放電を行う蓄電池と、
該蓄電池の残容量を検出する残容量検出部と、を備え、
前記第１および第２電力出力部が出力する電力を用いて、前記蓄電池を充電させる充電処理と、
前記蓄電池が放電する電力を、所定の負荷に供給する電力供給処理と、
を実行する電力供給装置であって、
前記充電処理において前記第２電力出力部が出力する電力の大きさは、
前記残容量の検出結果に応じて、調整されることを特徴とする電力供給装置。
【発明の詳細な説明】
【技術分野】
【０００１】
本発明は、照明装置および電力供給装置に関し、特に、太陽エネルギーと商用電源を利用するものに関する。
【背景技術】
【０００２】
従来、ＬＥＤ等の負荷に電力を供給する電力供給装置として、特許文献１にも開示されているように、太陽電池や商用電源を利用して蓄電池を充電し、蓄電池を放電させて電力を供給するものが提案されている。このような電力供給装置では、太陽エネルギーを用いた充電が可能である一方、悪天候続き等のために太陽エネルギーが安定して得られない場合であっても、商用電源を用いた充電が可能となっている。
【特許文献１】特開平３−１９０５３８号公報
【発明の開示】
【発明が解決しようとする課題】
【０００３】
ところで蓄電池（例えば鉛蓄電池）は、一般的に放電深度が大きくなると、寿命が極端に短くなることが知られている。そのため蓄電池の残容量が過剰に少なくなることは、極力回避されることが望ましい。この点、太陽電池のみを利用した充電では、悪天候続きの時などに充電量が放電量に追いつかず、やがて蓄電池の残容量が過剰に少なくなるおそれがある。
【０００４】
そのため充電においては、例えば商用電源により得られる十分な電力を常時併用することとし、蓄電池の残容量を高い水準に保っておく方法も考えられる。しかしこのような方法によれば、現在の残容量や天候（取得される太陽エネルギーの量）の面から、残容量が過剰に少なくなるおそれが殆ど無い場合であっても、商用電源による電力が消費される結果となる。そのため経済的な観点などにおいては、依然として問題が残る。
【０００５】
そこで本発明は、上述した問題点に鑑み、太陽エネルギーや商用電源を用いて蓄電池を充電するものであって、蓄電池の残容量が過剰に少なくなることを極力防止しつつ、商用電源による電力が必要以上に消費されることを極力回避することが可能となる、照明装置および電力供給装置の提供を目的とする。
【課題を解決するための手段】
【０００６】
上記目的を達成するため、本発明に係る照明装置は、太陽エネルギーに基づいて電力を取得し出力する、第１電力出力部と、商用電源に基づいて電力を取得し出力する、第２電力出力部と、供給される電力によって照明を行う照明部と、充放電を行う蓄電池と、該蓄電池の残容量を検出する残容量検出部と、を備え、前記第１および第２電力出力部が出力する電力を用いて、前記蓄電池を充電させる充電処理と、前記蓄電池が放電する電力を前記照明部に供給し、前記照明を行わせる放電処理と、を実行する照明装置であって、前記充電処理において前記第２電力出力部が出力する電力の大きさは、前記残容量の検出結果に応じて、調整される構成（第１の構成）とする。
【０００７】
本構成によれば、太陽エネルギーや商用電源を用いて蓄電池を充電するとともに、蓄電池が放電する電力を用いて照明を行うことが可能である。そして充電処理において第２電力出力部が出力する電力の大きさは、蓄電池の残容量に応じて調整される。
【０００８】
そのため、例えば残容量が少なく、太陽エネルギーの利用だけでは十分に充電できない場合には、第２電力出力部が出力する電力を大きくし、逆に残容量が多く、太陽エネルギーの利用だけで十分に充電可能である場合には、第２電力出力部が出力する電力を小さくすることで、蓄電池の残容量が過剰に少なくなることを極力防止しつつ、商用電源による電力が必要以上に消費されることを極力回避することが可能となる。なお電力の大きさの調整については、当該電力をゼロとする（ゼロに調整する）ことも含む。
【０００９】
また上記第１の構成において、前記充電処理と放電処理は、交互に繰り返されるものである一方、各放電処理では、前記蓄電池が所定の容量（「放電容量」とする）を放電し、前記充電処理において前記第２電力出力部が出力する電力の大きさは、前記残容量が所定の下限量と前記放電容量との合計以下であるか否かに応じて、調整される構成（第２の構成）としてもよい。
【００１０】
本構成によれば、蓄電池の残容量が、所定の下限量（例えばフル充電時の７０％の残容量）以下となることを防ぐことが可能となる。そのため、蓄電池の長寿命化や、非常時に対する電力の備蓄などを実現することが可能となる。
【００１１】
また上記第２の構成において、前記放電処理では、前記第２電力出力部が出力する電力も、前記照明部に供給される構成（第３の構成）としてもよい。
【００１２】
本構成によれば、蓄電池の放電のみでは放電処理を行うために必要な電力を供給できない場合であっても、商用電源による電力が照明部に供給されるから、照明を正常に行うことが容易となる。
【００１３】
また上記第１から第３の何れかの構成において、前記充電処理において、前記第２電力出力部が出力する電力の大きさは、前記第１電力出力部が出力する電力の大きさに応じて、調整される構成（第４の構成）としてもよい。
【００１４】
本構成によれば、例えば天候が良く、第１電力出力部が出力する電力が大きい場合には、第２電力出力部が出力する電力を小さく調整し、逆に第１電力出力部が出力する電力が小さい場合には、第２電力出力部が出力する電力を大きく調整することにより、効率の良い充電処理が可能となる。
【００１５】
また本発明に係る照明装置は、太陽エネルギーに基づいて電力を取得し出力する、第１電力出力部と、商用電源に基づいて電力を取得し出力する、第２電力出力部と、供給される電力によって照明を行う照明部と、充放電を行う蓄電池と、該蓄電池の残容量を検出する残容量検出部と、を備え、前記第１および第２電力出力部が出力する電力を用いて、前記蓄電池を充電させる充電処理と、前記蓄電池が放電する電力を前記照明部に供給し、前記照明を行わせる放電処理と、を実行する照明装置であって、前記充電処理において前記第２電力出力部が出力する電力の大きさは、前記第１電力出力部が出力する電力の大きさに応じて、調整される構成（第５の構成）とする。
【００１６】
本構成によれば、太陽エネルギーや商用電源を用いて蓄電池を充電するとともに、蓄電池が放電する電力を用いて照明を行うことが可能である。そして充電処理において第２電力出力部が出力する電力の大きさは、第１電力出力部が出力する電力の大きさに応じて調整される。
【００１７】
そのため、例えば天候が良く、第１電力出力部が出力する電力が大きい場合には、第２電力出力部が出力する電力を小さく調整し、逆に第１電力出力部が出力する電力が小さい場合には、第２電力出力部が出力する電力を大きく調整することで、蓄電池の残容量が過剰に少なくなることを極力防止しつつ、商用電源による電力が必要以上に消費されることを極力回避することが可能となる。
【００１８】
また上記第１から第５の何れかの構成に係る照明装置として、より具体的には、前記照明を実現する発光素子として、ＬＥＤが採用されている構成（第６の構成）のＬＥＤ照明装置としてもよい。
【００１９】
また本発明に係る電力供給装置は、太陽エネルギーに基づいて電力を取得し出力する、第１電力出力部と、商用電源に基づいて電力を取得し出力する、第２電力出力部と、充放電を行う蓄電池と、該蓄電池の残容量を検出する残容量検出部と、を備え、前記第１および第２電力出力部が出力する電力を用いて、前記蓄電池を充電させる充電処理と、前記蓄電池が放電する電力を、所定の負荷に供給する電力供給処理と、を実行する電力供給装置であって、前記充電処理において前記第２電力出力部が出力する電力の大きさは、前記残容量の検出結果に応じて、調整される構成（第７の構成）とする。
【００２０】
本構成によれば、太陽エネルギーや商用電源を用いて蓄電池を充電するとともに、蓄電池が放電する電力を、例えば照明装置などの負荷に供給することが可能である。そして充電処理において第２電力出力部が出力する電力の大きさは、蓄電池の残容量に応じて調整される。
【００２１】
そのため、例えば残容量が少なく、太陽エネルギーの利用だけでは十分に充電できない場合には、第２電力出力部が出力する電力を大きくし、逆に残容量が多く、太陽エネルギーの利用だけで十分に充電可能である場合には、第２電力出力部が出力する電力を小さくすることで、蓄電池の残容量が過剰に少なくなることを極力防止しつつ、商用電源による電力が必要以上に消費されることを極力回避することが可能となる。
【発明の効果】
【００２２】
上述の通り、本発明に係る照明装置や電力供給装置によれば、太陽エネルギーや商用電源を用いて蓄電池を充電するとともに、蓄電池が放電する電力を照明に用いる（或いは、負荷に供給する）ことが可能である。そして充電処理において第２電力出力部が出力する電力の大きさは、蓄電池の残容量や、第１電力出力部が出力する電力の大きさに応じて調整される。
【００２３】
そのため蓄電池の残容量に応じて調整される場合、例えば残容量が少なく、太陽エネルギーの利用だけでは十分に充電できない場合には、第２電力出力部が出力する電力を大きくし、逆に残容量が多く、太陽エネルギーの利用だけで十分に充電可能である場合には、第２電力出力部が出力する電力を小さくすることで、蓄電池の残容量が過剰に少なくなることを極力防止しつつ、商用電源による電力が必要以上に消費されることを極力回避することが可能となる。
【００２４】
また第１電力出力部が出力する電力の大きさに応じて調整される場合、例えば天候が良く、第１電力出力部が出力する電力が大きい場合には、第２電力出力部が出力する電力を小さく調整し、逆に第１電力出力部が出力する電力が小さい場合には、第２電力出力部が出力する電力を大きく調整することで、蓄電池の残容量が過剰に少なくなることを極力防止しつつ、商用電源による電力が必要以上に消費されることを極力回避することが可能となる。
【発明を実施するための最良の形態】
【００２５】
本発明の実施形態について、ＬＥＤ照明装置を例に挙げて以下に説明する。当該ＬＥＤ照明装置（以下、単に「照明装置」と称する）の構成を、図１に示す。本図に示すように、照明装置１は、太陽電池１１、充電器１２、蓄電池１３、残容量検出部１４、照明部１５、日射センサ１６、人感センサ１７、感震センサ１８、制御部１９、ダイオード（Ｄ１、Ｄ２）、およびスイッチ（ＳＷ１、ＳＷ２）などを備えている。
【００２６】
太陽電池１１は、ソーラーパネルによって日光を受け、太陽エネルギーを電力に変換して後段回路に出力する。そのため太陽電池１１が出力する電力の大きさは、天候や時間帯に大きく左右される。なおソーラーパネルの形状としては、受光面の凹凸などによって発生する散乱光をも利用できるように工夫されていてもよい。また太陽電池自体の構成は公知であるため、その詳細な説明は省略する。
【００２７】
充電器１２は、前段側が商用電源に接続され、商用電源から得られた電力を後段回路に出力する。この電力は、蓄電池１３の充電などに用いられる。また充電器１２が後段回路に出力する電流の大きさは、制御部１９によって制御可能となっている。これにより、充電器１２から出力される電流を制限することにより、商用電源による電力の消費を小さく抑えることが可能となっている。
【００２８】
蓄電池１３は、太陽電池１１や充電器１２から供給される電力を蓄える（つまり、充電可能である）一方、蓄えられた電力を放電し照明部１５に供給する。残容量検出部１４は、例えば蓄電池１３の出力電圧を検出することにより、蓄電池１３の残容量を検出する。また照明部１５は、発光素子としてＬＥＤ［Light Emitting Diode］が設けられており、蓄電池１３などから供給される電力を用いて発光する。このことから照明装置１は、照明部１５（電気的負荷）に電力を供給する電力供給装置とみることもできる。
【００２９】
日射センサ１６は、例えば照明装置１の外面に（日光が当たる位置に）設けられた受光装置を通じて、現時点での太陽エネルギーの大きさを検出する。人感センサ１７は、例えば人体から発せられる赤外線を検知することにより、照明装置１の近傍に人が居ることを検出する。また感震センサ１８は、ある一定の強さを超える地震の発生を検出する。
【００３０】
制御部１９は、照明装置１において実行される各種処理を制御する。特に、残容量検出部１４などによる検出結果を受けて、各スイッチ（ＳＷ１、ＳＷ２）の開閉や充電器１２から出力される電流の量などを制御する。かかる制御の内容については、改めて説明する。なおスイッチ（ＳＷ１、ＳＷ２）は、前段側と後段側との接続／非接続を切り替えるものであり、ダイオード（Ｄ１、Ｄ２）は、電流をアノードからカソードへ向かう方向に整流する。
【００３１】
ここで照明装置１における各部の接続関係について説明すると、図１に示すように、太陽電池１１の後段側は、スイッチＳＷ１の前段側に接続されている。またスイッチＳＷ１の後段側は、ダイオードＤ１のアノードに接続されている。また充電器１２の後段側は、ダイオードＤ２のアノードに接続されている。また各ダイオード（Ｄ１、Ｄ２）のカソードは、スイッチＳＷ２の前段側や蓄電池１３に接続されている。またスイッチＳＷ２の後段側は、照明部１５が接続されている。
【００３２】
このような構成により、各スイッチ（ＳＷ１、ＳＷ２）の開閉状態に応じて、蓄電池１３は、太陽電池１１や充電器１２から供給される電力によって充電される。また照明部１５は、各スイッチ（ＳＷ１、ＳＷ２）の開閉状態に応じて、充電器１２や蓄電池１３から供給される電力によって、発光する。
【００３３】
より具体的には、スイッチＳＷ１が閉じていて、かつスイッチＳＷ２が開いている場合には、図２に示す状態となる。つまり、太陽電池１１からスイッチＳＷ１とダイオードＤ１を経て蓄電池１３に流れる電流Ｉｐｖが発生するとともに、充電器１２からダイオードＤ２を経て蓄電池１３に流れる電流Ｉｓが発生し、これらの電流によって蓄電池１３が充電される。なおこの状態を、以下「充電状態」と称する。
【００３４】
その一方で、スイッチＳＷ１が開いていて、かつスイッチＳＷ２が閉じている場合には、図３に示す状態となる。つまり、蓄電池１３からスイッチＳＷ２を経て照明部１５に流れる電流（Ｉｐｖｆ）と、充電器１２からダイオードＤ２とスイッチＳＷ２を経て照明部１５に流れる電流（Ｉｓｆ）が発生し、これらの電流によって照明部１５が発光する。この状態を、以下「放電状態」と称する。なおスイッチＳＷ２が閉じている場合には、充電器１２側から蓄電池１３に流れ込む電流（Ｉｓ）は、Ｉｓｆに比べて十分小さくなるため、ここでは省略して考える。また充電器１２から出力される電流（Ｉｓ、Ｉｓｆ）は、制御部１９によって電流出力が停止されている場合には、出力されない。
【００３５】
また照明装置１の外観は、例えば図４に示すもの（街路灯）となっている。この照明装置１では、支柱２１が地面に立てられており、支柱２１の側面に設けられた突出部２１ａに、地面側を照明するように照明部１５が備えられている。また支柱２１の最上部には、太陽電池１１のソーラーパネル２３が、架台２２に支えられて設置されている。なお架台２２には回動部２２ａが設けられており、ソーラーパネル２３の向きを調整することが可能となっている。
【００３６】
以上に説明した構成により、照明装置１は、１日のうち比較的明るくて照明の必要が無い期間（以下、「昼間」と称する）には充電状態となり、蓄電池１３を充電する処理（充電処理）を実行する。一方、比較的暗くて照明が必要な期間（以下、「夜間」と称する）には放電状態となり、照明部１５に電力を供給する処理（放電処理）を行う。つまり照明装置１は、充電処理と放電処理をほぼ１日に１回ずつ交互に実行することになる。
【００３７】
また照明装置１では、充電処理と放電処理（これらを纏めて「充放電処理」とする）がなされるにあたって、蓄電池１３の残容量が一定量（例えばフル充電時の容量の７０％）を下回らないように制御されるものとなっている。以下、このような充放電処理の具体的な内容について、図５に示すフローチャートを参照しながら説明する。
【００３８】
照明装置１は、現時点が昼間に属するか、或いは夜間に属するかを判断する（ステップＳ１０）。なお当該判断は、日射センサ１６が検出する太陽エネルギーの大きさが、所定の閾値を超えているか否か（超えている場合には「昼間」とする）に基づいて行われる。また照明装置１に計時手段を備えておき、現時点が昼間の時間帯に属しているか否かを検知することにより、当該判断が行われるようにしても良い。
【００３９】
そして昼間であると判断された場合は（ステップＳ１０の「昼間」）、制御部１９は、各スイッチ（ＳＷ１、ＳＷ２）の状態を充電状態とする（ステップＳ１１）。また残容量検出部１４は、現在の蓄電池１３の残容量が一定量（具体的には、７０％＋α）以下となっているか否かを検出する（ステップＳ１２）。
【００４０】
ここでの「７０％」は、フル充電時の容量に対する割合であり、「α」は、夜間に蓄電池１３から放電される容量（或いは、これに余裕度を加えた容量）として、予め見積もられている容量、もしくは設定されている容量（放電容量）である。なおαの大きさは概ね、電流Ｉｐｖｆの大きさに、夜間の長さを乗じることによって見積もられる。
【００４１】
その結果、残容量が既に一定量を超えている場合には（ステップＳ１２のＮ）、これから行われる充電処理の状況に関わらず、次の放電処理によって残容量が７０％より小さくなることはないと考えられる。そこで制御部１９は、充電器１２の電流出力を停止させる（ステップＳ１３）すなわち、専ら太陽電池１１から出力される電流Ｉｐｖによって、蓄電池１３を充電させることとする。
【００４２】
一方、残容量が一定量以下である場合には（ステップＳ１２のＹ）、次の放電処理によって残容量が７０％より小さくならないように、これから行われる充電処理によって、残容量を少なくとも当該一定量（７０％＋α）とする必要がある。しかしながら例えば悪天候などのため、その日の昼間に得られる太陽エネルギーが少ない場合には、太陽電池１１のみに頼った充電では、当該一定量以上の残容量を確保できないおそれがある。
【００４３】
そこで制御部１９は、充電器１２から電流Ｉｓを出力させることとする（ステップＳ１４）。つまり、電流Ｉｐｖと電流Ｉｓの双方により、蓄電池１３を充電させることとする。これにより、太陽エネルギーが少ない（電流Ｉｐｖが小さい）場合であっても、蓄電池１３を十分に充電することが可能となり、一定量以上の残容量が確保できない事態を極力回避することが可能である。
【００４４】
なお電流Ｉｓの大きさについては、常時固定としても良く、また状況に応じて調整するようにしても良い。そして調整する場合には、例えば電流ＩｓとＩｐｖの和が一定値となるようにすると良い。このことは換言すれば、電流Ｉｐｖの大きさ（つまり太陽電池１１から出力される電力の大きさ）に応じて、電流Ｉｓを調整することになる。これにより、天候が良く電流Ｉｐｖが大きい場合には、商用電源の電力消費を極力抑えることができ、逆に天候が悪く電流Ｉｐｖが小さい場合には、電流Ｉｓによる電流量の補助が優先されるため、効率の良い充電処理が可能となる。
【００４５】
また電流Ｉｓの大きさの他の調整方法としては、現在の残容量と一定量（７０％＋α）との差を算出し、この差が大きいほど、電流Ｉｓを大きくするようにしても良い。また、現在から昼間が終わるまでの期間を見積もっておき、この期間が短いほど、電流Ｉｓを大きくするようにしても良い。このようにすれば、より多くの充電が必要であるほど（或いは、より緊急な充電が必要であるほど）、電流Ｉｓを大きくすることが可能であり、効率の良い充電が実現される。
【００４６】
上述した一連の処理（ステップＳ１１〜Ｓ１４）は、昼間において繰り返される。一方で夜間となった場合は（ステップＳ１０の「夜間」）、各スイッチ（ＳＷ１、ＳＷ２）は放電状態に設定される（ステップＳ２１）。その後、蓄電池１３から出力される電流Ｉｐｖｆによって照明部１５を駆動させることになるが、電流Ｉｐｖｆだけでは適切な照明が得られない場合には、制御部１９は充電器１２から電流Ｉｓｆを出力させる。
【００４７】
つまり必要に応じて、充電器１２から電流Ｉｓｆを流すこととし（ステップＳ２２）、照明部１５には、電流Ｉｐｖｆと電流Ｉｓｆの和に相当する電流が流れるようにする。なお電流Ｉｓｆの大きさは、例えば電流Ｉｐｖｆと電流Ｉｓｆの和が、適切な照明が実現される所定値となるように調整される。
【００４８】
これにより、蓄電池１３だけでは適切な照明に必要な電力が得られない場合（例えば、蓄電池１３の残容量が減少したために、蓄電池１３の出力電圧が低下した場合）であっても、商用電源により得られる電力を用いてこれを補助し、適切な照明を実現することが可能となっている。上述した一連の処理は、（ステップＳ２１〜Ｓ２２）は、夜間において繰り返される。
【００４９】
なお各夜間における蓄電池１３の放電量が監視されるようにしておき、この放電量が先述のαに到達した場合には、夜間であっても、蓄電池１３の放電を強制的に停止させるようにしてもよい。このように放電量をαに制限しておけば、夜間における蓄電池１３の放電量がαを超えることがないため、蓄電池１３の残容量が７０％以下となることをより確実に防ぐことが可能となる。
【００５０】
ここで上述した充放電処理の内容をより理解容易とするため、蓄電池１３における残容量の変動状況の具体例を、図６を参照しながら説明する。図６において、上側のグラフは、太陽電池１１が受ける太陽エネルギーの変動状況を、下側のグラフは、蓄電池１３の残容量の変動状況を示す。なお何れのグラフも横軸は時間（日）を表しており、Ａ〜Ｆの約６日分の期間が示されている。
【００５１】
まず太陽エネルギーについては、各日とも主に昼間（正午頃がピーク）に取得可能であるが、その量は天候に大きく左右される。図６に示すように、晴れているＡの日では取得量は大きく、逆に雨が降っているＣ〜Ｅの日では取得量は小さくなる。
【００５２】
そして蓄電池１３の残容量については、各日とも夜間は天候に関わらず、照明のためにほぼ一定量（先述したαに相当する量）が減少する。一方、Ａ〜Ｃの日における昼間は、残容量が７０％＋αを上回っているために太陽電池１１のみによる充電がなされるが（ステップＳ１２のＮに相当）、比較的太陽エネルギーの取得量が小さいＢやＣの日では、夜間に放電された分のαを充電するには至っていない。
【００５３】
その結果、Ｄの日の昼間が到来した時点では、残容量検出部１４は、残容量が７０％＋αを下回っていることを検出する（ステップＳ１２のＹに相当）。そこで制御部１９は、充電器１２から電流を出力させ（ステップＳ１４に相当）、商用電源を併用した充電を実行させる。その後、残容量が７０％＋αを越えたことが検出されれば、充電器１２からの電流出力は停止されることとなる（ステップＳ１３に相当）。また図６に示すように、Ｅの日の昼間についても、残容量が７０％＋αを下回っている期間があるため、同様の処理がなされることとなる。
【００５４】
なお仮に商用電源による充電の補助が無いとすると、Ｄの日の昼間は取得される太陽エネルギーの量が小さく、図６の破線で示すように、残容量が一定量（７０％＋α）以上となるまで蓄電池１３を充電することは出来なかったと考えられる。そのため、Ｅの日の夜間における放電によって、残容量は７０％以下にまで減少したと考えられる。
【００５５】
以上のような処理が実行されることによって、照明装置１では、取得される太陽エネルギーの量に関わらず、蓄電池１３の残容量を常時７０％以上確保することが可能となっている。言い換えれば、蓄電池１３の放電深度が常時３０％を超えないようにすることが可能となっている。そのため、蓄電池１３の残容量が過剰に減少することにより、蓄電池１３の寿命が短くなることを回避することが可能となっている。
【００５６】
また蓄電池１３の残容量が一定量以上確保されることによって、例えば地震災害のために商用電源の電力供給が途絶えた場合であっても、蓄電池１３を用いて比較的長期間の照明を確保することが可能となっている。
【００５７】
なお蓄電池１３の残容量を一定量以上確保する方法としては、例えば、充電処理において常に（残容量の如何に関わらず）商用電源を併用する方法なども考えられる。しかしこの場合は、充電量が問題とならない状況（既に７０％＋αの残容量が確保されている状況）であっても商用電源による電力を消費することになり、経済的な面などにおいて問題があるといえる。この点本実施形態では、必要に応じて充電に商用電源を併用することで、一定量の残容量を効率良く確保できるものとなっている。
【００５８】
また充放電処理においては、人感センサ１７や感震センサ１８の検知結果に応じたものとしてもよい。例えば、人感センサ１７によって人の接近を検知したときや、感震センサ１８によって地震を検知したときには、昼間であってもスイッチＳＷ２を閉じて、照明を行うようにしてもよい。
【００５９】
また充電処理においては、充電器１２から出力される電流の大きさは、蓄電池１３に印加される電圧が略一定となるように調整されるものとしてもよい。これにより、天候の良い日には太陽電池１１側の電圧が高くなるため、充電器１２よりも太陽電池１１からの電力供給を優先させた充電が可能となる。そのため比較的簡便な制御によって、商用電源の電力消費を極力小さく抑えることが可能となる。
【００６０】
以上、本発明の実施形態について一例を挙げて説明したが、実施形態はこの内容に限定されるものではなく、本発明の主旨を逸脱しない範囲において種々の改変を加えることが可能である。また本発明の実施形態の説明として照明装置（照明部に電力を供給するもの）を例に挙げたが、本発明は、種々の電気的負荷に電力を供給する電力供給装置としても実施可能である。
【産業上の利用可能性】
【００６１】
本発明は、街路灯などの分野において利用可能である。
【図面の簡単な説明】
【００６２】
【図１】本発明の実施形態に係るＬＥＤ照明装置の回路構成図である。
【図２】充電状態における電流の流れを示す説明図である。
【図３】放電状態における電流の流れを示す説明図である。
【図４】本発明の実施形態に係るＬＥＤ照明装置の外観構成図である。
【図５】本発明の実施形態に係る充放電処理のフローチャートである。
【図６】蓄電池の残容量の変動例を示すグラフである。
【符号の説明】
【００６３】
１    ＬＥＤ照明装置（照明装置、電力供給装置）
１１    太陽電池（第１電力出力部）
１２    充電器（第２電力出力部）
１３    蓄電池
１４    残容量検出部
１５    照明部（負荷）
１６    日射センサ
１７    人感センサ
１８    感震センサ
１９    制御部
Ｄ１、Ｄ２    ダイオード
ＳＷ１、ＳＷ２    スイッチ
【図１】
2009124843.tif 000003
【図２】
2009124843.tif 000004
【図３】
2009124843.tif 000005
【図４】
2009124843.tif 000006
【図５】
2009124843.tif 000007
【図６】
2009124843.tif 000008